(57)【特許請求の範囲】
【請求項１】
操作により警戒状態の設定を行うと共に、カード媒体に記録された情報を読取るカードリーダーに於いて、
前記警戒状態を設定するための警戒設定スイッチ及び当該警戒設定スイッチの操作を確定させるための識別スイッチを備えた操作部と、
前記カード媒体に記録された情報を読取るカード読取部と、
を備え、
前記操作部は、前記カード読取り部と積層配置され、
前記警戒設定スイッチは、前記操作部における前記カード読取り部が対応する位置を半分に分割した場合の一方側に配置され、
前記識別スイッチは、前記操作部における前記カード読取り部が対応する位置を半分に分割した場合の他方側に配置されたことを特徴とするカードリーダー。
【請求項２】
請求項１記載のカードリーダーに於いて、
前記操作部は、警戒解除スイッチを備え、
前記警戒解除スイッチは、前記警戒スイッチが配置された一方側に配置されたことを特徴とするカードリーダー。
【発明の詳細な説明】
【技術分野】
【０００１】
本発明は、利用者が携帯するカード媒体に記録された利用者識別情報を読取って電気錠を解錠させる入退出管理システムに設けたカードリーダーに関する。
【背景技術】
【０００２】
従来、オフィスビルや工場等の施設にあっては、入退出管理システムが設置されている。入退出管理システムは、例えば建物の階毎に設置したローカル制御盤からの信号線に部屋の入り口扉の外側に設置されたカードリーダーを接続すると共に扉に設けた電気錠を接続している。ローカル制御盤は、伝送路を介して警備室などに設置されたセンター装置や総務部等の管理部門に設置されたクライアント装置に接続されている。
【０００３】
施設や部屋等に出入りする社員等の在籍者は利用者識別情報を登録した例えば非接触ＩＣカードを携帯しており、カードリーダーに非接触ＩＣカードをかざすことで利用者識別情報を読取ってローカル制御盤に送り、ローカル制御盤で事前登録している利用者識別情報との照合一致が得られた場合に電気錠を解錠し、扉を開いて出入りできるようにしている。
【０００４】
図８は従来のカードリーダーを示した説明図であり、図８（Ａ）は正面を示し、図８（Ｂ）は埋込設置した側面を示す。
【０００５】
図８に示すように、従来のカードリーダー１００は、内カバー１０２と本体１０４で構成され、本体１０４の表側となる操作表示面１０６の左下側にカード読取部１０８が配置され、それ以外の場所に、表示部と操作部が設けられている。表示部には、読取表示灯１１０、解錠表示灯１１２、警戒・発報表示灯１１４、戸締表示灯１１６及び電源灯１１８が設けられ、操作部には押釦スイッチを配列した警戒設定スイッチ１２０、警戒解除スイッチ１２２及びテンキー１２４が設けられている。
【０００６】
カードリーダー１００は例えば埋込ボックス１２６により、電気錠を備えた扉を設けた出入口の外側の壁面に埋込み設置され、端子台１２８に対し図示しない信号線ケーブルを接続している。
【０００７】
このような従来のカードリーダー１００にあっては、カードリーダー１００の操作により所定のファンクションモードの設定をローカル制御盤に指示して運用することができる。
【０００８】
カードリーダー１００により設定するファンクションモードには、カードリーダー１００を配置した部屋の警戒モードの設定、警戒モードの解除、電気錠の連続解錠や連続施錠、或いは部屋照明の点灯や消灯などローカル制御盤に設定可能な各種のファンクションモードがある。
【０００９】
カードリーダー１００によりファンクションモードとして例えば警戒モードを設定するには、警戒設定スイッチ１２０を短押し操作し、続いて非接触ＩＣカードをカード読取部１０８にかざして読取らせる。また、警戒解除モードの設定は、警戒解除スイッチ１２２を短押し操作し、続いて非接触ＩＣカードをカード読取部１０８にかざして読取らせる。
【００１０】
それ以外の電気錠の連続解錠や連続施錠、或いは部屋照明の点灯や消灯等については、テンキー１２４の中の設定しようとするファンクションモードに対応して予め定めた番号の数字キーを長押し操作し、続いて非接触ＩＣカードをカード読取部１０８にかざして読取らせる。
【先行技術文献】
【特許文献】
【００１１】
【特許文献１】特開２００２−２９８１８３号公報
【特許文献２】特開２００１−０２０５７４号公報
【発明の概要】
【発明が解決しようとする課題】
【００１２】
ところで、カードリーダーは利用者の目に触れる廊下壁面に取り付けられているため、基本的には小型であることが求められており、小型化を実現するために、操作部に設けられた警戒設定スイッチ、警戒解除スイッチ及びテンキーに静電容量スイッチを配列したスイッチシートを利用することが考えられている。
【００１３】
しかしながら、操作部のスイッチとして静電容量スイッチを設けた場合、従来の押釦スイッチのように押し込む操作を行う必要がなく、スイッチに触れるだけで操作できるタッチスイッチとなるため、利用者が入退出の際に非接触ＩＣカードの読取り操作を行う場合に、誤って静電容量スイッチを用いたテンキーに触れて長押し操作となってしまう可能性があり、従来のようにテンキーの長押し操作を含むファンクションモードの設定操作を行っていると、意図しない操作が誤って行われてしまう問題がある。
【００１４】
本発明は、操作部にタッチスイッチを用いた場合のファンクションモードの設定操作を確実に行うことを可能にし、タッチスイッチに誤って触れても意図しないファンクションモードの設定操作が行われることのない信頼性に優れたカードリーダーを提供することを目的とする。
【課題を解決するための手段】
【００１５】
（カードリーダー、警戒設定スイッチ及び識別スイッチ）
本発明は、操作により警戒状態の設定を行うと共に、カード媒体に記録された情報を読取るカードリーダーに於いて、
警戒状態を設定するための警戒設定スイッチ及び当該警戒設定スイッチの操作を確定させるための識別スイッチを備えた操作部と、
カード媒体に記録された情報を読取るカード読取部と、
を備え、
操作部は、カード読取り部と積層配置され、
警戒設定スイッチは、操作部におけるカード読取り部が対応する位置を半分に分割した場合の一方側に配置され、
識別スイッチは、操作部におけるカード読取り部が対応する位置を半分に分割した場合の他方側に配置されたことを特徴とする。
【００１６】
（警戒解除スイッチ）
操作部は、警戒解除スイッチを備え、
警戒解除スイッチは、警戒スイッチが配置される一方側に配置される。
【発明の効果】
【００２０】
（カードリーダーによるファクションモードの設定による効果）
本発明は、電気錠により施錠される扉を設けた出入口の外側に設置され、利用者が携帯するカード媒体に記録された情報を読取って電気錠を解錠させるカードリーダーに於いて、タッチスイッチとして作動する複数のスイッチを備えた操作部と、カード媒体を読取るカード読取部と、操作部に設けた複数のスイッチの何れかによるファンクションモードの種別選択操作、種別選択操作に用いる以外の操作部に設けた所定のスイッチによるファンクションモードの識別操作、及び読取部によりカード媒体から読取られた所定の利用者識別情報の照合一致を検出した場合に、種別選択操作で検出された種別のファンクションモードの設定を制御盤に指示する制御部とが設けられたため、操作部位に触れるだけ作動するタッチスイッチを使用していても、ファンクションモードの種別を選択するスイッチ操作に加え、ファンクションモードを識別するスイッチ操作が組み合わされることで、従来のようにテンキーの長押し操作が入るようにした場合にタッチスイッチに誤って触れることで起きる意図しないファンクションモードの設定操作を未然に防止でき、ファンクションモードの設定操作を確実に行うことを可能にして操作の信頼性を高めることが可能となる。
【００２１】
（警戒設定スイッチ、警戒解除スイッチ、及びテンキーによるファクションモードの設定操作による効果）
また、操作部は、タッチスイッチとして作動する警戒設定スイッチ、警戒解除スイッチ、及びテンキーを備え、制御部は、警戒設定スイッチ、警戒解除スイッチ、又はテンキーの中の所定の数字キースイッチの何れかによるファンクションモードの種別選択操作、テンキーの中の数字キースイッチ以外の所定キースイッチによるファンクションモードの識別操作、及び読取部によりカード媒体から読取られた所定の利用者識別情報の照合一致を検出した場合に、種別選択操作で検出された種別のファンクションモードの設定を制御盤に指示するようにしたため、警戒設定スイッチ、警戒解除スイッチ及びテンキーに操作部位に触れるだけ作動するタッチスイッチを使用していても、警戒設定スイッチ、警戒解除スイッチ又はテンキーの中の数字キースイッチの何れかによるファンクションモードの種別選択操作に加え、テンキーの中の数字キースイッチ以外のキースイッチによるファンクションモードの識別操作が組み合わされることで、従来のようにテンキーの長押し操作が入るようにした場合に、テンキーに誤って触れることで起きる意図しないファンクションモードの設定操作を未然に防止でき、ファンクションモードの設定操作を確実に行うことを可能にして操作の信頼性を高めることが可能となる。
【００２２】
（ファンクションモード識別用スイッチによる効果）
また、制御部は、ファンクションモードの識別操作を行うキースイッチとして、警戒設定スイッチ又は警戒解除スイッチから最も離れた位置に配置された所定のキースイッチの操作を検出するようにしたため、利用頻度の高い警戒モードを設定する警戒設定スイッチと警戒解除モードを設定する警戒解除スイッチに対し、ファンクションモードの識別操作を行うキースイッチは、警戒設定スイッチから最も離れたテンキーの中のコーナー位置に配置された例えば＃キースイッチとなり、２つ操作スイッチの位置が最も離れた異なる位置となることで、スイッチ位置の判別が容易となり、使用頻度の高い警戒モード又は警戒解除モードを設定する場合の操作性が向上し、誤操作を抑制可能とする。また、テンキーの中のコーナー位置に配置された例えば＃キースイッチは、警戒解除スイッチに対しても十分に離れた異なる位置となり、同様の効果が得られる。
【００２３】
（操作部のスイッチ配列とスイッチ操作による効果）
また、操作部には、警戒設定スイッチと警戒解除スイッチが、テンキーの上部に配置され、制御部は、ファンクションモードの識別操作を行うキースイッチとして、テンキーの中の下部に位置する所定のキースイッチの操作を検出するようにしたため、利用頻度の高い警戒モードを設定する警戒設定スイッチと警戒解除モードを設定する警戒解除スイッチは、操作部上部に位置し、一方、ファンクションモードの識別操作を行うテンキーの中の所定のキースイッチ、例えば＃キースイッチは、テンキーの中の下部の離れた場所に位置しており、２つ操作スイッチの位置が十分に離れた異なる位置となることで、スイッチ位置の判別が容易となり、使用頻度の高い警戒モード又は警戒解除モードを設定する場合の操作性が向上し、誤操作を抑制可能とする。
【００２４】
（静電容量スイッチによる効果）
また、操作部にタッチスイッチとして設けられた警戒設定スイッチ、警戒解除スイッチ、及びテンキーは、スイッチシートに配列された静電容量スイッチであり、カード読取部のアンテナコイルを配置した回路基板上に積層配置されることで、カード読取部と操作部とが一体化されるようにしたため、操作部とカード読取部が一体化されることで、カードリーダーが小型化でき、操作部とカード読取部が一体化に伴いカード読取りの際に、テンキーに誤って触れても、意図しないファンクションモードの設定操作が行われることを確実に防止可能とする。
【図面の簡単な説明】
【００２５】
【図１】カードリーダーの実施形態を正面及び右側面から示した説明図
【図２】カードリーダーの実施形態を正面及び背面から示した斜視図
【図３】カードリーダーの組立分解構造を示した説明図
【図４】入退出管理システムの概略を示した説明図
【図５】カードリーダーの機能構成を示したブロック図
【図６】ファンクションモードを選択するスイッチとローカル制御盤の設定モードを一覧で示した説明図
【図７】カードリーダーにおけるファンクションモードの設定制御を示したフローチャート
【図８】従来のカードリーダーを示した説明図
【発明を実施するための形態】
【００２６】
［カードリーダー］
図１はカードリーダーの実施形態を正面及び右側面から示した説明図、図２はカードリーダーの実施形態を正面及び背面から示した斜視図、図３はカードリーダーの組立分解構造を示した説明図である。
【００２７】
（カードリーダーの概要）
図１及び図２に示すように、本実施形態のカードリーダー１０は、内カバー１２と外カバー１４によりカードリーダー筐体を構成している。外カバー１４の正面には表示操作パネル１６が設けられ、操作部として、上部に警戒設定スイッチ２０と警戒解除スイッチ２２を配置し、その下側にテンキー３０を配置している。
【００２８】
テンキー３０は「１，２，３，４，５，６，７，８，９，＊，０．＃」で示す１２個のキースイッチを４行３列に配列している。なお、図２（Ａ）にあっては、表示操作パネル１６のキースイッチの表示は省略している。また、テンキー３０に設けた各キースイッチは、以下の説明では、１キースイッチ，２キースイッチ，・・・９キースイッチ，＊キースイッチ，０キースイッチ．＃キースイッチとする。
【００２９】
警戒設定スイッチ２０、警戒解除スイッチ２２及びテンキー３０は、指先を触れるか近接させるだけで作動するタッチスイッチであり、静電容量スイッチを使用している。
【００３０】
また、カードリーダー１０の表示部として、外カバー１４の側面両側に警戒・発報表示灯２４を設けている。警戒・発報表示灯２４は、正面、側面方向及び斜め方向から視認可能としている。
【００３１】
側面配置された警戒・発報表示灯２４は、本実施形態にあっては、赤ＬＥＤ、緑ＬＥＤ及び青ＬＥＤの３色ＬＥＤを発光源として図３の回路基板３６に配置しており、その３色の光度の組合せにより、いかなる色でも表示可能としている。
【００３２】
また、カードリーダー１０には、警戒・発報表示灯２４に加え、正面の表示操作パネル１６に、警戒設定スイッチ２０、警戒解除スイッチ２２及びテンキー３０を配置した操作部を囲む枠形を上下に分割した表示形態をもつ読取表示灯２６と解錠表示灯２８を上下に分けて配置している。読取表示灯２６と解錠表示灯２８は、本実施形態にあっては、青ＬＥＤと赤ＬＥＤを発光源とし、青と赤の２色発光を可能としている。
【００３３】
（本体アッセンブリィと内カバー）
図３に示すように、外カバー１４には、透明パネル３２、静電容量スイッチシート３４、ライトガイド２６ａ，２８ａ、ＲＦ基板３６ａとＣＰＵ基板３６ｂをスペーサにより２段に配置した回路基板３６のうちのＲＦ基板３６ａ側を積層状態で固定することで本体アッセンブリィ１１を構成している。
【００３４】
静電容量スイッチシート３４には、図１の表示操作パネル１６に設けた警戒設定スイッチ２０、警戒解除スイッチ２２及び下側にテンキー３０に対応して１４個の静電容量スイッチ３５が点線で示すように配置されている。静電容量スイッチ３５は相対する透明パネル３２の部位に指先を触れることで、直接接触しなくとも静電容量が変化し、これを電気的に検出してスイッチオン信号を出力する。
【００３５】
ライトガイド２６ａ，２８ａは上下に分離した矩形枠取り形状をもち、図１の表示操作パネル１６に設けた読取表示灯２６と解錠表示灯２８に対応して設けられ、静電容量スイッチシート３４とＲＦ基板３６ａの間に配置され、ライトガイド２６ａ，２８ａに対して本実施形態にあっては、青ＬＥＤと赤ＬＥＤをＲＦ基板３６ａに配置している。
【００３６】
ＲＦ基板３６ａの表側にはアンテナコイル３３が配置され、アンテナコイル３３と基板に実装した読取回路によりカード読取部を構成している。これにより図１に示した警戒設定スイッチ２０、警戒解除スイッチ２２及びテンキー３０を配置した表示操作パネル１６の面は、同時に、非接触ＩＣカードの読取面を構成しており、本実施形態にあっては、操作部とカード読取部が一体化されている。また、ＣＰＵ基板３６ｂの裏側にはコネクタ３８が配置される。
【００３７】
内カバー１２は、前面に開口された箱形収納部１２ａとその開口周囲に一体に形成されたフランジ部１２ｂで構成され、フランジ部１２ｂに設けたねじ通し穴３７を介してねじ３９を嵌め入れることで、図示しない取付ボックス側に固定される。
【００３８】
［入退出管理システム］
図４は入退出管理システムの概略を示した説明図である。図４に示すように、オフィスビルや工場等の施設に設置された入退出管理システムは、センター装置４０、クライアント４２、ローカル制御盤４６、入退室用カードリーダー１０ａ、出勤用カードリーダー１０ｂ、退勤用カードリーダー１０ｃ及び電気錠４８で構成される。
【００３９】
入退室用カードリーダー１０ａ、出勤用カードリーダー１０ｂ及び退勤用カードリーダー１０ｃは、図１乃至図３の実施形態に示したカードリーダー１０が用いられる。なお、入退室用カードリーダー１０ａ、出勤用カードリーダー１０ｂ及び退勤用カードリーダー１０ｃを区別する必要がない場合は、単にカードリーダー１０という場合がある。
【００４０】
センター装置４０は警備室等に設置され、またクライアント４２は入退出管理業務を行う総務部門等に設置される。ローカル制御盤４６は例えば施設の階毎に分けて設置される。ローカル制御盤４６はセンター装置４０及びクライアント４２と伝送路４４により接続されている。また、センター装置４０には、図示しない防犯センサを備えた防犯システムからの防犯移報信号や火災感知器を備えた火災報知システムからの火災移報信号が伝送路４４又は移報信号線を介して入力される。
【００４１】
入退室用カードリーダー１０ａは各部屋の出入口となる扉の外側に配置されており、また、扉には電気錠４８が設けられている。入退室用カードリーダー１０ａ及び電気錠４８は同じ階に設置しているローカル制御盤４６からの信号線に接続されている。
【００４２】
出勤用カードリーダー１０ｂと退勤用カードリーダー１０ｃは施設の出入口等に設置され、出入口に対応したローカル制御盤４６からの信号線に接続されている。
【００４３】
入退室用カードリーダー１０ａ、出勤用カードリーダー１０ｂ及び退勤用カードリーダー１０ｃは、利用者の携帯する非接触ＩＣカード等に記録された所定の利用者識別情報を読取って事前登録した利用者識別情報と照合し、照合一致により認証成功を判別した場合に認証信号をローカル制御盤４６へ送信する。
【００４４】
ローカル制御盤４６は出勤用カードリーダー１０ｂ及び退勤用カードリーダー１０ｃから認証信号を受信した場合は、伝送路４４を介してセンター装置４０に認証信号を送信し、センター装置４０で管理している入退出情報に出勤時刻又は退勤時刻を記録させる。また、ローカル制御盤４６は入退室用カードリーダー１０ａから認証信号を受信した場合は、対応する出入口に設けた電気錠４８へ制御信号を出力して解錠制御し、入退室を可能とする。
【００４５】
入退出管理システムは、平日の勤務時間帯は警戒解除モードを設定して動作しており、平日の勤務時間帯以外の時間帯、休日、祭日については、警戒モードを設定して動作している。
【００４６】
入退出管理システムの警戒解除モードは、利用者の携帯する非接触ＩＣカードのカードリーダー１０による読取りで電気錠４８を解錠する制御を可能とするモードであり、一方、警戒モードは、カードリーダー１０により利用者の携帯する非接触ＩＣカードを読取りにより電気錠４８を解錠する制御を禁止するモードであり、併せて、防犯システムの防犯センサが監視状態となる。
【００４７】
入退出管理システムの管理者などは、管理者識別情報を記憶した管理用の非接触ＩＣカードを保有しており、管理者用の非接触ＩＣカードを使用して、カードリーダー１０の操作によりローカル制御盤４６に対し各種のファンクションモードを設定することができる。
【００４８】
カードリーダー１０の操作で設定できるローカル制御盤４６のファンクションモードには、警戒モード、警戒解除モード、部屋の照明のオンとオフ、電気錠の連続施錠と連続解錠、カード読取りに対するブザー音等の鳴動音のオンとオフ等がある。
【００４９】
なお、カードリーダー１０でファンクションモードを設定操作できる権限を管理者にのみ与える場合は、カード読取りで予め登録した管理者識別情報との照合一致でファンクションモードを設定することになるが、特別な権限を与える必要がない場合は、利用者識別情報の照合一致でファンクションモードを設定することが可能となる。
【００５０】
［カードリーダーの機能構成］
図５はカードリーダーの機能構成を示したブロック図である。図５に示すように、カードリーダー１０は、制御部５０、伝送部５２、操作部５４、表示部５６、音響出力部５８、マグネット６２と組合せ配置したホールＩＣ６０で構成されるタンパースイッチ６４、非接触ＩＣカード６８を読取るカード読取部６６を備える。
【００５１】
制御部５０はＣＰＵ、メモリ、各種の入出力ポートを備えたコンピュータ回路で構成しており、プログラムの実行により所定の制御を行う。伝送部５２は所定の通信プロトコルに従って図４に示したローカル制御盤４６との間で各種コマンドを含む信号の送受信を行う。
【００５２】
操作部５４には、警戒設定スイッチ２０、警戒解除スイッチ２２及びテンキー３０が設けられており、図３に示した静電容量スイッチシート３４の静電容量スイッチ３５で実現される。表示部５６には、一対の警戒・発報表示灯２４、読取表示灯２６及び解錠表示灯２８が設けられる。
【００５３】
音響出力部５８はスピーカと駆動回路を備え、カード読取音等を出力する。タンパースイッチ６４は、ホールＩＣ６０が図３のＣＰＵ基板３６ｂに設けられ、マグネット６２はホールＩＣ６０に相対した内カバー１２に配置され、正常な状態では、マグネット６２の磁界をホールＩＣ６０に内蔵したホール素子により検出してタンパースイッチ６４をオフとしており、不審者等により、外カバー１４に一体化している本体アッセンブリィ１１が内カバー１２からこじ開けられると、ホールＩＣ６０によるマグネット６２の磁界検出が断たれ、タンパースイッチ６４がオンしてタンパー異常が検出される。
【００５４】
カード読取部６６は図３の回路基板３６に設けたアンテナコイル３３とその送受信回路を備えており、アンテナコイル３３には例えば１３．５６ＭＨｚの発信信号を増幅して加えることで交流磁界を発生し、非接触ＩＣカード６８が近接すると電磁誘導により電力を供給して動作させることで、非接触ＩＣカード６８から固有の利用者情報が読取られる。
【００５５】
［カードリーダーの制御機能］
カードリーダー１０の制御部５０は、ローカル制御盤４６と連携して非接触ＩＣカード６８の読取りによる電気錠の制御を含む各種の入退出管理制御を行う。
【００５６】
（カードリーダーのファンクションモード設定制御）
カードリーダー１０の制御部５０は、操作部５４に設けた警戒設定スイッチ２０、警戒解除スイッチ２２、及びテンキー３０の操作と非接触ＩＣカード６８の読取りに基づきローカル制御盤４６に選択されたファンクションモードの設定を指示する制御を行う。
【００５７】
カードリーダー１０におけるファンクションモードの設定操作は、
（ファンクションモード種別選択操作）＋（ファンクションモード識別操作）＋（カード読取り）
の組み合わせ操作となる。
【００５８】
ファンクションモードの種別選択操作は、警戒設定スイッチ２０、警戒解除スイッチ２２、及びテンキー３０に設けた１，２，３，４，５，６，７，８，９，０の数字キースイッチの操作で行い、最大で１２種類のモードが選択できる。
【００５９】
ファンクションモードの識別操作は、テンキー３０の中の数字キースイッチ以外のキースイッチ、即ち＊キースイッチ又は＃キースイッチの操作で行う。本実施形態にあっては、ファンクションモードの識別操作を＃キースイッチで行っている。
【００６０】
このため制御部５０は、警戒設定スイッチ２０、警戒解除スイッチ２２又はテンキー３０の中の所定の数字キースイッチの何れかによるファンクションモード種別選択操作を検出し、テンキー３０の中の数字キースイッチ以外の例えば＃キースイッチによるファンクションモード識別操作を検出し、更に、カード読取部６６により非接触ＩＣカード６８から読取られた利用者識別情報の照合一致を検出した場合に、種別選択操作で検出された所定のファンクションモードの設定を指示するコマンド信号をローカル制御盤４６に送信して設定させる制御を行う。
【００６１】
ここで、ファンクションモード識別操作を行うスイッチとして＃キースイッチを使用している理由は、入退出管理システムで平日の勤務日に行なわれる頻度の高い警戒モードと警戒解除モードの設定操作における操作性を高めることを意図している。
【００６２】
図１に示したように、警戒設定スイッチ２０と警戒解除スイッチ２２は、表示操作パネル１６の上部左右のコーナー位置に配置され、テンキー３０の中の＃キースイッチは、警戒設定スイッチ２０から最も離れた最遠の右下のコーナー位置にあり、また、警戒解除スイッチ２２からも十分に離れた遠いコーナー位置にある。
【００６３】
そこでファンクションモードの設定操作において、上部左右のコーナー位置にある警戒設定スイッチ２０又は警戒解除スイッチ２２と、これに対し十分に離れた下部右のコーナー位置にある＃キースイッチとの２つのスイッチ操作を行わせることで、操作スイッチの位置が十分に離れた異なるコーナー位置となることで、スイッチ位置の判別が容易となり、使用頻度の高い警戒モード又は警戒解除モードを設定する場合の操作性が向上し、誤操作を抑制可能とする。
【００６４】
また、テンキー３０の中の数字キースイッチによるファンクションモードの種別選択操作も、ファンクションモードの設定頻度が高いほど＃キースイッチからの距離が遠くなるように数字キースイッチを割り当てることが望ましい。
【００６５】
図６はファンクションモードの種別選択に使用するスイッチとローカル制御盤に設定されるファンクションモードの内容を一覧で示した説明図である。図６に示すように、警戒設定スイッチ２０は警戒モードを選択してローカル制御盤４６に設定し、防犯の警戒を開始させる。また、警戒解除スイッチ２２は警戒解除モードを選択してローカル制御盤４６に設定し、防犯の警戒を解除させる。なお、ローカル制御盤４６の警戒モードには、タイマー設定による時刻到達で警戒モードを自動的に解除するモードがあり、この場合には、警戒解除モードの設定操作は不要となる。
【００６６】
１キースイッチは照明オンモードを選択してローカル制御盤４６に設定し、部屋の照明をオン制御させる。また、２キースイッチは照明オフモードを選択してローカル制御盤４６に設定し、部屋の照明をオフ制御させる。
【００６７】
３キースイッチは連続解錠モードを選択してローカル制御盤４６に設定し、電気錠４８を連続解錠状態に制御させる。また、４キースイッチは連続施錠モードを選択してローカル制御盤４６に設定し、電気錠４８を連続施錠状態に制御させる。
【００６８】
５キースイッチは読取音オンモードを選択してローカル制御盤４６に設定し、カード読取りの鳴動音を出力するように制御させる。また、６キースイッチは読取音オフモードを選択してローカル制御盤４６に設定し、カード読取りの鳴動音を停止するように制御させる。
【００６９】
なお、カードリーダー１０の操作でローカル制御盤４６に設定可能なファンクションモードは、図６の一覧に限定されず、ローカル制御盤４６で設定可能な適宜のファンクションモードが含まれる。
【００７０】
図７はカードリーダーにおけるファンクションモードの設定制御を示したフローチャートであり、図５に示した制御部５０による制御動作となる。
【００７１】
図７に示すように、制御部５０はステップＳ１でファンクションモードの種別選択操作を判別しており、種別選択操作を判別するとステップＳ２に進み、操作されたスイッチから選択されたファンクションモードの種別を保持する。
【００７２】
続いて、ステップＳ３に進み、ファンクションモード識別操作として行われる＃キースイッチの操作を監視しており、＃キースイッチの操作を判別するとステップＳ４に進む。なお、ステップＳ３で＃キースイッチの操作判別中は、ステップＳ７で所定時間のタイムアウトを監視しており、タイムアウトを判別するとそれ以上の処理を行わずにステップＳ１に戻る。
【００７３】
ステップＳ４にあっては、非接触ＩＣカード６８のカード読取りを行い、ステップＳ５のカード読取りで得られた利用者情報と登録済利用者情報との照合一致による認証成功を判別するとステップＳ６に進み、ステップＳ２で保持している種別のファンクションモードの設定を指示するコマンド信号をローカル制御盤４６に送信し、ローカル制御盤４６にファンクションモードを設定して動作させる。
【００７４】
なお、ファンクションモードの設定操作として、ファンクションモードの種別選択操作スイッチと、ファンクションモードの識別操作スイッチとの同時操作を検出することも考えられるが、同時操作のタイミングずれ等を考慮する必要があることからソフトウェア処理が煩雑になり、本実施形態のように順次操作を検出する方が望ましい。
【００７５】
［カードリーダーの制御動作の概要］
カードリーダーを設けた入退出管理システムは、平日の勤務時間帯は警戒解除モードを設定して動作しており、平日の勤務時間帯以外の時間帯、休日、祭日については、警戒モードを設定して動作している。
【００７６】
入退出管理システムが警戒解除モードを設定して動作している平日の勤務時間帯には、カードリーダー１０の読取表示灯２６が青色に常時点灯して、カード読取枠の上側を表示しており、このとき電気錠は施錠中であることから解錠表示灯２８が青色に常時点灯し、カード読取枠の下側を表示している。
【００７７】
この状態で利用者が非接触ＩＣカードをカードリーダー１０にかざして正常にカード読取が行われると、読取表示灯２６が消灯して再び青点灯に戻り、カード読取りが正常に行われたことを表示する。また、カードリーダー１０にかざして正常にカード読取りが行われると、ローカル制御盤による電気錠の解錠制御が行われ、カードリーダー１０はローカル制御盤からトグル解錠のコマンド信号を受信することから、これを検出して予め設定している解錠時間のあいだ解錠表示灯２８を青点滅して電気錠が解錠していることを表示する。
【００７８】
一方、カードリーダー１０によるカード読取りがエラーとなった場合には、読取表示灯２６が赤点滅して再び青点灯に戻り、カード読取エラーとなったことを表示し、利用者は再度、カード読取操作を行うことになる。
【００７９】
入退出管理システムが警戒モードを設定して動作している平日の勤務時間帯以外の時間帯、休日、祭日には、カードリーダー１０の警戒・発報表示灯２４は緑点灯し、警戒モードにあることを識別表示させる。
【００８０】
また警戒モードの設定中に警備担当者が巡回する場合には、例えばセンター装置で巡回モードを設定すると、カードリーダー１０の警戒・発報表示灯２４は黄点灯し、巡回中であることを識別表示する。
【００８１】
警備担当者による巡回中、建物の廊下に沿って配置されている部屋の扉外側に配置しているカードリーダー１０の警戒・発報表示灯２４は黄点灯しており、警備担当者は廊下の見渡せる位置に設置している複数のカードリーダー１０について、その場所に行かなくとも遠方から黄点灯にあることを確認できる。
【００８２】
このため何れかのカードリーダー１０で例えば不審者がカードリーダー１０をこじ開けてタンパー異常が検出された場合には、その警戒・発報表示灯２４が赤点滅となり、警備担当者は、赤点滅による表示を遠方から確認してタンパー異常を知り、必要な対応を迅速且つ適切にとることが可能となる。
【００８３】
また、警備担当者の巡回中に、火災が発生した場合には、火災報知システムからの火災移報信号がセンター装置などで受信され、ローカル制御盤からの制御で全ての電気錠を一斉解錠させると共に、カードリーダー１０にローカル制御盤を介して火災移報コマンド信号が送られ、これにより警戒・発報表示灯２４が赤橙点滅（赤と橙を交互に点滅）により火災発生を識別表示し、警備担当者は、見渡せる範囲にある複数のカードリーダー１０の側面に配置した警戒・発報表示灯２４が一斉に赤橙点滅することで火災発生を知り、必要な対応を迅速且つ適切にとることが可能となる。
【００８４】
［本発明の変形例］
（ファンクションモード識別スイッチ）
上記の実施形態にあっては、ファンクションモード識別操作に使用するスイッチとして、テンキー３０の中の＃キースイッチを使用しているが、これに限られない。例えば、ファンクションモード識別操作に使用するスイッチとして＊キースイッチを使用しても良い。
【００８５】
（２つのスイッチの操作順）
上記の実施形態は、ファンクションモード種別選択操作とファンクションモード識別操作の順に２つのスイッチ操作を検出しているが、これに限られない。例えば、順番を入れ替えてファンクションモード識別操作とファンクションモード種別選択操作の順に２つのスイッチ操作を検出しても良い。
【００８６】
（その他）
また，本発明は、その目的と利点を損なうことのない適宜の変形を含み、更に上記の実施形態に示した数値による限定は受けない。
【符号の説明】
【００８７】
１０：カードリーダー
１１：本体アッセンブリィ
１２：内カバー
１４：外カバー
１６：表示操作パネル
２０：警戒設定スイッチ
２２：警戒解除スイッチ
２４：警戒・発報表示灯
２６：読取表示灯
２６ａ，２８ａ：ライトガイド
２８：解錠表示灯
３０：テンキー
３２：透明パネル
３３：アンテナコイル
３４：静電容量スイッチシート
３５：静電容量スイッチ
３６：回路基板
３６ａ：ＲＦ基板
３６ｂ：ＣＰＵ基板
３８：コネクタ
４０：センター装置
４２：クライアント
４４：伝送路
４６：ローカル制御盤
４８：電気錠
５０：制御部
５２：伝送部
５４：操作部
５６：表示部
５８：音響出力部
６０：ホールＩＣ
６２：マグネット
６４：タンパースイッチ
６６：カード読取部
６８：非接触ＩＣカード
【図１】
0006689014.tif 000002
【図２】
0006689014.tif 000003
【図３】
0006689014.tif 000004
【図４】
0006689014.tif 000005
【図５】
0006689014.tif 000006
【図６】
0006689014.tif 000007
【図７】
0006689014.tif 000008
【図８】
0006689014.tif 000009